(57)【要約】【課題】操作が容易であり、かつ、携帯電話機で撮影した画像のプリントをする際に最適な画質が得られるプリント受付装置を提供する。【解決手段】メディアが着脱されるメディアリーダ４０と、各種の画面を表示する表示手段と、操作部３０と、メディアリーダ４０へのメディアの着脱操作及び操作手段での操作に基づいて表示手段に各種の画面を切り替え表示させ、かつメディアリーダに装着されたメディアからプリントに使用する画像を取り込むとともに注文情報を作成する制御手段とを備える。制御手段は、取り込んだ前記画像を２画像ずつ１枚の印画紙にプリントするようにプリンタ６０を制御する。【選択図】  図１
2005012651.tif 000002
【特許請求の範囲】
【請求項１】
店頭や店内等に設置され、利用者が持参した携帯電話機のメディアから該メディア内に記録された画像を読み込んで該画像のプリント注文を受け付けるプリント受付装置において、
前記メディアが着脱されるメディアリーダと、
プリント注文時に利用者の操作や確認を促すための各種の画面を表示する表示手段と、
利用者が前記表示手段に表示された画面を見ながら操作するための操作手段と、
前記メディアリーダへのメディアの着脱操作及び前記操作手段での操作に基づいて前記表示手段に各種の画面を切り替え表示させ、かつ前記メディアリーダに装着されたメディアからプリントに使用する画像を取り込むとともに注文情報を作成する制御手段と、を備え、
前記制御手段は、取り込んだ前記画像を２画像ずつ１枚の印画紙にプリントするようにプリンタを制御することを特徴とするプリント受付装置。
【請求項２】
店頭や店内等に設置され、利用者が持参した携帯電話機のメディアから該メディア内に記録された画像を読み込んで該画像のプリント注文を受け付けるプリント受付装置において、
前記メディアが着脱されるメディアリーダと、
プリント注文時に利用者の操作や確認を促すための各種の画面を表示する表示手段と、
利用者が前記表示手段に表示された画面を見ながら操作するための操作手段と、
前記メディアリーダへのメディアの着脱操作及び前記操作手段での操作に基づいて前記表示手段に各種の画面を切り替え表示させ、かつ前記メディアリーダに装着されたメディアからプリントに使用する画像を取り込むとともに注文情報を作成する制御手段と、を備え、
前記制御手段は、取り込んだ前記画像を４画像ずつ１枚の印画紙にプリントするようにプリンタを制御することを特徴とするプリント受付装置。
【請求項３】
前記制御手段は、前記メディアリーダに装着されたメディアからプリントに使用する画像を取り込むとともに、該取り込んだ画像の画素数を判別する画像判別手段を備え、
前記制御手段は、前記各画像の画素数に適したプリントサービスの画面を前記表示部に表示させることを特徴とする請求項１又は２に記載のプリント受付装置。
【請求項４】
前記制御手段は、前記メディアリーダに装着されたメディアからプリントに使用する画像の添付情報を取り込むとともに、印画紙にプリントする画像の近傍に前記画像の添付情報を印字するようにプリンタを制御することを特徴とする請求項１〜３のいずれか１項に記載のプリント受付装置。
【請求項５】
前記制御手段は、取り込んだ前記画像を前記表示手段にサムネール表示させるとともに、前記サムネール表示させた画像に該画像の画素数に対応した表示を施すことを特徴とする請求項３又は４に記載のプリント受付装置。
【発明の詳細な説明】
【０００１】
【発明の属する技術分野】本発明はプリント受付装置に係り、特に店頭や店内等に設置され、利用者が持参した携帯電話機用のメディアから該メディア内に記録された画像等の情報を読み込んでプリントを行うプリント受付装置に関する。
【０００２】
【従来の技術】
従来より、デジタルスチルカメラ（以下、「ＤＳＣ」と略称で記す）に使用されるメディア（スマートメディア、ｘＤピクチャーカード、コンパクトフラッシュ、ＳＤカード、メモリスティック、ＡＴＡ  ＰＣカード、フロッピーディスク等）からデータ（画像データ及び注文に必要な付帯情報データ）を読み出し、プリント等の注文を受け付けるＤＳＣ受付サービス機がある。この種のＤＳＣ受付サービス機において、最適なプリント画像が得られるような各種の提案が本出願人等によりなされている（たとえば、特許文献１参照。）。
【０００３】
また、近年、画像撮影機能を有する携帯電話機が急速に普及しつつあり、この携帯電話機で撮影した画像を印画紙にプリントする需要も増加しつつある。
【０００４】
【特許文献１】
特開２００１−３６８４３号公報
【０００５】
【発明が解決しようとする課題】
ところが、画像撮影機能を有する携帯電話機で撮影した画像は、通常のＤＳＣで撮影した画像より画質が劣る、すなわち画素数が少ないのが一般的である。したがって、これを通常のＤＳＣで撮影する画像と同じサイズ（一般的にはＬサイズ）でプリントした場合、プリント画像が荒れて見苦しくなるという問題を生じる。
【０００６】
一方、画像撮影機能を有する携帯電話機には、通常のＤＳＣと同様の画質で撮影できるような切り換え機能を有するものも多い。この切り換え機能は、利用者にあまり知られることがないが、切り換え機能により通常のＤＳＣと同様の画質で撮影した場合には、通常のＤＳＣで撮影した画像と同じサイズでプリントしても、プリント画像が荒れて見苦しくなるという問題は生じない。
【０００７】
このように、画像撮影機能を有する携帯電話機で撮影した画像のプリントをする場合、撮影した画像によって、最適なプリント条件を選択することが求められるが、従来このような要求に、簡易な操作できめ細かく対応できるプリント受付装置は知られていなかった。
【０００８】
本発明は、このような事情に鑑みてなされたもので、操作が容易、すなわちユーザーフレンドリーであり、かつ、携帯電話機で撮影した画像のプリントをする際に最適な画質が得られるプリント受付装置を提供することを目的とする。
【０００９】
【課題を解決するための手段】
前記目的を達成するために、本願の請求項１に係る発明は、店頭や店内等に設置され、利用者が持参した携帯電話機のメディアから該メディア内に記録された画像を読み込んで該画像のプリント注文を受け付けるプリント受付装置において、前記メディアが着脱されるメディアリーダと、プリント注文時に利用者の操作や確認を促すための各種の画面を表示する表示手段と、利用者が前記表示手段に表示された画面を見ながら操作するための操作手段と、前記メディアリーダへのメディアの着脱操作及び前記操作手段での操作に基づいて前記表示手段に各種の画面を切り替え表示させ、かつ前記メディアリーダに装着されたメディアからプリントに使用する画像を取り込むとともに注文情報を作成する制御手段と、を備え、前記制御手段は、取り込んだ前記画像を２画像ずつ１枚の印画紙にプリントするようにプリンタを制御することを特徴とするプリント受付装置を提供する。
【００１０】
本発明によれば、携帯電話機で撮影した画像のプリントをする際に最適な画質が得られる効果が得られる。すなわち、既述のように、携帯電話機で撮影した画像は、通常のＤＳＣで撮影した画像より画素数が少ないのが一般的であり、これを通常のサイズ（一般的にはＬサイズ）でプリントした場合、プリント画像が荒れて見苦しくなるという問題を生じる。ところが、これを２画像ずつ１枚の印画紙（一般的にはＬサイズの印画紙）にプリントすれば、画像が荒れて見苦しくなるという問題を生じないうえ、印画紙代、プリント経費等が半減するという効果が得られる。
【００１１】
また、印画紙のプリント部分を切り取れば、これを名刺入れ等に入れて持ち運べる便利なサイズとなることと、余白にさまざまな情報を書き込めることで、商品自体の魅力をアップさせることもできる。
【００１２】
本願の請求項２に係る発明は、店頭や店内等に設置され、利用者が持参した携帯電話機のメディアから該メディア内に記録された画像を読み込んで該画像のプリント注文を受け付けるプリント受付装置において、前記メディアが着脱されるメディアリーダと、プリント注文時に利用者の操作や確認を促すための各種の画面を表示する表示手段と、利用者が前記表示手段に表示された画面を見ながら操作するための操作手段と、前記メディアリーダへのメディアの着脱操作及び前記操作手段での操作に基づいて前記表示手段に各種の画面を切り替え表示させ、かつ前記メディアリーダに装着されたメディアからプリントに使用する画像を取り込むとともに注文情報を作成する制御手段と、を備え、前記制御手段は、取り込んだ前記画像を４画像ずつ１枚の印画紙にプリントするようにプリンタを制御することを特徴とするプリント受付装置を提供する。
【００１３】
本発明によれば、請求項１に係る発明と同様に、画像が荒れて見苦しくなるという問題を生じない。また、印画紙代、プリント経費等が大幅に低減するという効果が得られる。
【００１４】
本願の請求項３に示されるように、本発明において、前記制御手段は、前記メディアリーダに装着されたメディアからプリントに使用する画像を取り込むとともに、該取り込んだ画像の画素数を判別する画像判別手段を備え、前記制御手段は、前記各画像の画素数に適したプリントサービスの画面を前記表示部に表示させることが好ましい。
【００１５】
このように、画像判別手段によって各画像の画素数を判別すれば、このサイズに適したサイズのプリントサイズが提案できる。たとえば、携帯電話機で撮影した画像であっても、通常のＤＳＣと同様の画質で撮影されている画像もある。この画像を通常の携帯電話機で撮影した画像と同様のプリントサイズでプリントしたとすれば、折角の撮影画質が生かせないこととなり好ましくない。このような場合であっても、撮影した画像に適したサイズのプリントサイズが提案されるのであれば、ユーザーフレンドリーとなる。
【００１６】
本願の請求項４に示されるように、本発明において、前記制御手段は、前記メディアリーダに装着されたメディアからプリントに使用する画像の添付情報を取り込むとともに、印画紙にプリントする画像の近傍に前記画像の添付情報を印字するようにプリンタを制御することが好ましい。
【００１７】
通常のＤＳＣの画像をプリントする際に、添付情報として印刷されるのは、日付程度である。ところが、携帯電話機ではＤＳＣと異なり、機上でファイル名、タイトル名等の編集が可能な機種も多い。したがって、ファイル名等が全角で印字されること、長いファイル名でも全文字印字されることが重要となる。このように、印画紙にプリントする画像の近傍に画像の添付情報が印字されるのであれば、携帯電話機で撮影した画像の利用価値が向上するという効果が得られる。
【００１８】
本願の請求項５に示されるように、本発明において、前記制御手段は、取り込んだ前記画像を前記表示手段にサムネール表示させるとともに、前記サムネール表示させた画像に該画像の画素数に対応した表示を施すことが好ましい。
【００１９】
このように、取り込んだ画像がサムネール表示され、更に、個々の画像の画素数に対応した表示が施されるのであれば、利用者がプリントする画像サイズを選択するのに便宜である。
【００２０】
【発明の実施の形態】
以下、添付図面に従って本発明に係るプリント受付装置の好ましい実施の形態について詳説する。図１は、本発明に係るプリント受付装置（プリント受付サービス機）の実施の形態を示す概略構成図である。
【００２１】
図１に示されるように、このプリント受付サービス機１０は、店頭や店内等に設置され、利用者が持参したＤＳＣメディアからメディア内に記録された情報（画像データ）を読み込み、その画像データに基づいてプリントサービスを行うもので、主としてパーソナルコンピュータ（ＰＣ）等の本体部２０と、本体部２０と接続される周辺機器としてのタッチパネル付きＣＲＴ表示器３０（表示部及び操作部に該当）と、メディアリーダ／ライタ４０と、レシートプリンタ５０とから構成されている。
【００２２】
また、プリント受付サービス機１０には、プリンタ６０が接続されている。なお、プリンタ６０は、ローカル・エリア・ネットワーク（ＬＡＮ）などによって接続することで、プリント受付サービス機１０の設置場所とは別の場所に設置することが可能である。
【００２３】
以上の各構成要素のうち、レシートプリンタ５０及びプリンタ６０は、本発明に係るプリント受付装置に必須のものではない。また、メディアリーダ／ライタ４０が使用されているが、このうちメディアリーダのみが必須の構成要素である。
【００２４】
図２は、本体部２０のハードウェア構成例を示すブロック図である。同図に示されるように、本体部２０は、主として各構成要素の動作を制御する中央処理装置（ＣＰＵ）２１と、装置の制御プログラムが格納されたり、プログラム実行時の作業領域となる主メモリ２２と、ウインドウズ等のオペレーティングシステム（ＯＳ）、本体部２０に接続された周辺機器のデバイスドライバ、プリント受付サービスソフトを含む各種のアプリケーションソフト、及び利用者の画像等が格納されるハードディスク装置２３と、ＣＤ−ＲＯＭドライブ２４と、表示用データを一時記憶する表示メモリ２５と、周辺機器用のインターフェース（ディスプレイＩ／Ｆ、タッチパネルＩ／Ｆ、ＵＳＢ（Ｕｎｉｖｅｒｓａｌ  Ｓｅｒｉａｌ  Ｂｕｓ）など）２６と、モデム２７と、上記各構成要素を接続するバス２８とから構成されている。
【００２５】
図３は、本体部２０内のソフトウェア構成の概略図である。本体部２０は、ＯＳ管理の元に各種インターフェース群（ドライバソフトを含む）を利用し、プリント受付サービスソフトなどのアプリケーションソフトを組み込むことで効率的に各種システムを構築することができる。プリント受付サービス機１０の場合、アプリケーションソフトとしてプリント受付サービスソフトが本体部２０に組み込まれている。
【００２６】
このプリント受付サービスソフトは、図３に示されるようにアプリケーションＩ／Ｆソフトを介してＯＳとやり取りを行い、ＯＳが周辺機器（タッチパネル付きＣＲＴ表示器３０（表示器、タッチパネル）、メディアリーダ／ライタ４０、レシートプリンタ５０（図１参照）、プリンタ６０（図１参照）、ネットワーク上の各種デバイス）を各ドライバソフトを介して制御することで、一連のプリント受付を実現する。
【００２７】
プリント受付サービスソフトは、後述するように操作画面をタッチパネル付きＣＲＴ表示器３０に表示させることで、利用者に操作画面に応じてタッチパネルを操作させ、また、利用者の操作に応じて操作画面を順次切り替えながら周辺機器（たとえば、メディアリーダ／ライタ４０）からのデータ入力を行い、それらデータを操作に応じた内部処理（たとえば、画像処理）を実行して周辺機器（たとえば、プリンタ６０）に出力することで、プリントサービスを実行させる。
【００２８】
メディアリーダ／ライタ４０は、メディアからデータを読み込むためのリーダユニットで、携帯電話機のメディアに対応している。また、携帯電話機のメディア以外のメディア、たとえば、スマートメディア、ｘＤピクチャーカード、コンパクトフラッシュ、ＳＤカード、メモリスティック、ＡＴＡ  ＰＣカード、フロッピィーディスクなどの多様なリムーバブルメディアに対応させてもよい。
【００２９】
図４は、メディアリーダ／ライタ４０の構成例を示すブロック図である。同図に示されるようにメディアリーダ／ライタ４０は、接続コネクタ４１と、インターフェース（Ｉ／Ｆ）回路４２と、ファームウェアと呼ばれる小規模な制御ソフトウェアによって制御されるコントローラ４３と、メディアドライブ回路４４と、メディアスロット４５と、アクセスランプ４６とから構成されている。
【００３０】
コントローラ４３（ファームウェア）は、本体部２０内のメディアリーダ用ドライバソフトウェアとやり取りを行い、データ読取り等の機能制御をメディアリーダ／ライタ４０のハードウェアと密接に関わりながら行っている。
【００３１】
なお、コントローラ４３は、接続コネクタ４１、及びＩ／  Ｆ回路４２を介して本体部２０と接続されている。また、この実施の形態では、本体部２０とのＩ／  Ｆは、ＰＣで一般的に使われているＵＳＢ  Ｉ／  Ｆを採用している。
【００３２】
メディアリーダ／ライタ４０は、コントローラ４３に搭載されているファームウェアによって制御されている。このファームウェアは、コントローラ内（或いは外部）のフラッシュメモリに書き込まれており、ファームウェアアップローダ機能により、ファームウェアを書き換えることで、制御方法を変更したり、バグに対応できるようになっている。
【００３３】
コントローラ（ファームウェア）４３は、本体部２０とコマンド通信を行い、メディアスロット４５に挿入されたメディア内のデータを読み取ったり、書き込んだりすることができる。この例では、単純化のためにメディアスロットは、１つで表現してあるが、実際のプリント受付サービス機１０では、多様なメディアに対応するために複数のメディアスロットが設けられている。
【００３４】
メディアドライブ回路４４は、コントローラ４３の制御信号に従ってメディアスロット４５に装着されたメディアを駆動し、メディアにアクセス（書込み・読込み）するとともに、メディアの状態をアクセスランプ４６にて表示する。
【００３５】
次に、本発明のプリント受付サービス機１０を使用した、プリント受付操作及び処理の例について説明する。
【００３６】
図５は、プリント受付サービス機１０を使用した実施態様を示すフローチャートである。この実施態様は、利用者がプリント受付サービス機１０で受けられる各種サービスのうち、利用者が持参した携帯電話機のメディアから、このメディア内に記録された画像を読み込んで画像のプリント注文を受け付けるサービスの実施態様である。なお、図６〜図８には、各ステップにおけるタッチパネル付きＣＲＴ表示器３０の表示画面が表示されている。
【００３７】
先ず、タッチパネル付きＣＲＴ表示器３０の画面に各種サービスの選択を促す指示が表示される（ステップＳ１０）。ここで表示されるサービスは、図６に示されるように、１）利用者が持参したＤＳＣのメディアから、このメディア内に記録された画像を読み込んで画像のプリント注文を受け付けるサービス、２）利用者が持参した携帯電話機のメディアから、このメディア内に記録された画像を読み込んで画像のプリント注文を受け付けるサービス、及び、３）利用者が持参したＤＳＣのメディアから、このメディア内に記録された画像を読み込んでＣＤに記録するサービスである。ここでは、２）のサービスを選択する。
【００３８】
次いで、画面が切り替わり、タッチパネル付きＣＲＴ表示器３０の画面にメディアを入れるような指示が表示される（ステップＳ１２）。この場合、指示に従い携帯電話機のメディアをメディアリーダ／ライタ４０のメディアスロット４５に装着する（ステップＳ１３）。
【００３９】
次いで、図７に示されるように、画面が切り替わり、プリントサービスのメニューが画面に表示され、タッチスイッチの操作が促される（ステップＳ１４）。
このプリントサービスのメニューは、１）利用者がプリントする画像を選択してプリント注文を受け付けるサービス、２）全コマを一括してプリントすべくプリント注文を受け付けるサービスである。ここでは、１）のサービスを選択する。
【００４０】
なお、このステップＳ１４の画面左側において、画像を２画像ずつ１枚の印画紙にプリントする際のレイアウトが縮小してプレビュー表示されている。上の表示１４Ａは、２４０×３２０ピクセル以上の画像に対応したレイアウトであり、各画像の印刷した状態でのサイズは、横５．９ｃｍ×縦７．９ｃｍである。下の表示１４Ｂは、１２０×１２０ピクセル以上、２４０×３２０ピクセル未満の画像に対応したレイアウトであり、各画像の印刷した状態でのサイズは、横３ｃｍ×縦４ｃｍである。
【００４１】
このように、予めプリントする際のレイアウトが表示されることにより、利用者にとっては最適なプリント条件が選定可能となる。
【００４２】
次いで、画面が切り替わり、プリントサービスの際の画像選択等のメニューが画面に表示され、タッチスイッチの操作が促される（ステップＳ１６）。この画面においては、メディア内に記録された画像をサムネール表示させるとともに、サムネール表示させた画像にこの画像の画素数に対応した表示を施す。また、画像の添付情報を印画紙にプリントする画像の近傍に印字する際の印字内容が確認できる。
【００４３】
画像の画素数に対応した表示を施す具体的な手段としては、図示のように、色分けしたバー表示をサムネール表示させた各画像に添付する方法が採用できる。
図７の例では、２４０×３２０ピクセル以上、４８０×６４０ピクセル未満の画像には何も表示が施されないが、４８０×６４０ピクセル以上の画像には赤色のバー表示１６Ａが施されており、１２０×１２０ピクセル以上、２４０×３２０ピクセル未満の画像には黄色のバー表示１６Ｂが施されている。
【００４４】
図７のステップＳ１６の画面の右方に示されている図は、画像の添付情報を、印画紙にプリントする画像の近傍に印字する際の印字内容を確認する態様を説明する図である。
【００４５】
同図の最上段においては、選択された画像の文字情報（画像の添付情報）が図示されている。同図の２段目は、選択された画像に文字情報を印字しない場合のプレビュー画像である。同図の３段目は、選択された画像に文字情報を印字する際の選択中（設定中）のプレビュー画像である。同図の最下段においては、選択された画像の文字情報（画像の添付情報）が印字された各種状態が図示されている（１６Ｃ〜１６Ｅ）。利用者は、画面の各種スイッチを操作することにより、選択された画像に印字して添付すべきの文字情報の内容を選択することができる。
【００４６】
画像の添付情報に関しては、従来のような日付のみならず、ファイル名等が全角で印字されること、長いファイル名又は文字列でも全文字印字されること、等が求められことより、これに対応したソフトウェア構成が採用される。
【００４７】
更に、プリント受付サービス機１０は、画像の添付情報を印字する機能に加えて、印字箇所を選択する機能をも有している。図９は、この機能を説明する印刷例である。通常の携帯電話機の表示画面は縦長であり、これに対応して撮影画像も縦長となっているのが一般的である。したがって、携帯電話機によって撮影した画像の多くは縦長である。
【００４８】
図９（ａ）は、この縦長の２画像（この場合、同一画像）を１枚の印画紙にプリントした状態を示す。この状態の各画像の下方に添付情報を印字するのは自然であり、一般的に採用されている態様である。
【００４９】
一方、携帯電話機によって横長のレイアウトで撮影する場合もあり得る。たとえば、複数人が並んで被写体となる場合である。この場合には携帯電話機を横向きに旋回させた状態で撮影することとなる。
【００５０】
図９（ｂ）は、このような画像が含まれる例を示す。すなわち、同図は、縦長の左画像と横長の右画像を１枚の印画紙にプリントした状態を示す。この状態の左画像の下方に添付情報を印字するのは自然であるが、右画像の下方に添付情報を印字するのは不自然である。そこで、このような横長の画像に対しては、印字箇所を選択できる機能を設け、同図のように最適な位置に最適な向きで印字できるようにしている。
【００５１】
図５及び図７において、ステップＳ１６に次いで、画面が切り替わり、プリントサービスの際の画像選択のメニューが画面に表示され、タッチスイッチの操作が促される（ステップＳ１８）。画面のサムネール表示についてはステップＳ１６と同様である。このステップでは、選択された画像がプレビュー表示されている。このプレビュー表示１８Ａは、画像を２画像ずつ１枚の印画紙にプリントする状態で表示されており、かつ、画像の画素数に対応したサイズで表示されている。
【００５２】
すなわち、このプレビュー表示１８Ａの画像は、２４０×３２０ピクセル以上の撮影画像であり、印刷した状態でのサイズは、横５．９ｃｍ×縦７．９ｃｍである。
【００５３】
本発明においては、このプレビュー表示１８Ａのように、各画像の画素数に適したプリントサービスの画面を表示部に表示させる操作を、画像判別手段等により自動的に行っている。但し、利用者の手動操作（タッチスイッチ操作）により各画像毎に個別に行うことができるよう、自動／手動の切り換え手段を設けることもできる。
【００５４】
ステップＳ１８において、プリントサービスの際の画像の選択が終了したら、指示に従ってタッチスイッチ１８Ｂを操作すると（ステップＳ１９）、次画面に移る。
【００５５】
図５及び図８において、画面が切り替わり、作製された注文情報が表示される（ステップＳ２０）。ここで表示されるのは、選択したコマ数、注文総枚数、プリントサイズ及び価格の見積もりである。注文内容に異存がなければ、指示に従ってタッチスイッチ２０Ａを操作すると（ステップＳ２１）、次画面に移る。
【００５６】
ステップＳ２１に次いで、店の選択によりステップＳ２２又はステップＳ２４に移行する。ステップＳ２２は、レシートを発行するサービス画面であり、ステップＳ２４は、レシートを発行しないサービス画面である。
【００５７】
ステップＳ２２又はステップＳ２４において、メディアへの給電を停止し、メディアの取り出しを可能にする。ステップＳ２２又はステップＳ２４の画面により処理が終了することとなり、サービストップ画面に戻る（ステップＳ９９９）。
【００５８】
以上、本発明に係るプリント受付装置の実施形態の例について説明したが、本発明は上記実施形態の例に限定されるものではなく、各種の態様が採り得る。
【００５９】
たとえば、実施形態のプリント受付サービス機１０は、横５．９ｃｍ×縦７．９ｃｍ又は横３ｃｍ×縦４ｃｍの画像を２画像ずつ１枚の普通サイズ（Ｌサイズ）の印画紙にプリントするようになっているが、これ以外のサイズ、たとえば、横５．５ｃｍ×縦８．９ｃｍの画像をプリントするようにしてもよい。
【００６０】
また、実施形態の例では、画像の画素数に対応した表示を施す具体的な手段として、色分けしたバー表示が採用されているが、これ以外の各種表示法を採用してもよい。
【００６１】
【発明の効果】
以上説明したように、請求項１に記載の発明によれば、携帯電話機で撮影した画像のプリントをする際に最適な画質が得られる効果が得られる。すなわち、既述のように、携帯電話機で撮影した画像は、通常のＤＳＣで撮影した画像より画素数が少ないのが一般的であり、これを通常のサイズ（一般的にはＬサイズ）でプリントした場合、プリント画像が荒れて見苦しくなるという問題を生じる。ところが、これを２画像ずつ１枚の印画紙（一般的にはＬサイズの印画紙）にプリントすれば、画像が荒れて見苦しくなるという問題を生じないうえ、印画紙代、プリント経費等が半減するという効果が得られる。
【００６２】
請求項２に記載の発明によれば、請求項１に係る発明と同様に、画像が荒れて見苦しくなるという問題を生じない。また、印画紙代、プリント経費等が大幅に低減するという効果が得られる。
【図面の簡単な説明】
【図１】本発明に係るプリント受付装置（プリント受付サービス機）の実施の形態を示す概略構成図
【図２】プリント受付サービス機の本体部（ＰＣ）のハードウェア構成例を示すブロック図
【図３】本体部内のソフトウェア構成の概略図
【図４】プリント受付サービス機のメディアリーダ／ライタの構成例を示すブロック図
【図５】プリント受付サービス機を使用した実施態様を示すフローチャート
【図６】プリント受付サービス機を使用した実施態様を示す表示画面
【図７】プリント受付サービス機を使用した実施態様を示す表示画面
【図８】プリント受付サービス機を使用した実施態様を示す表示画面
【図９】印字箇所を選択する機能を説明する概略図
【符号の説明】
１０…プリント受付サービス機、２０…本体部（ＰＣ）、２１…中央処理装置（ＣＰＵ）、２２…主メモリ、２３…ハードディスク装置、２６…周辺機器用のインターフェース、３０…タッチパネル付きＣＲＴ表示器、４０…メディアリーダ／ライタ、４３…コントローラ、４４…メディアドライブ回路、４５…メディアスロット、４６…アクセスランプ
【図１】
2005012651.tif 000003
【図２】
2005012651.tif 000004
【図３】
2005012651.tif 000005
【図４】
2005012651.tif 000006
【図５】
2005012651.tif 000007
【図６】
2005012651.tif 000008
【図７】
2005012651.tif 000009
【図８】
2005012651.tif 000010
【図９】
2005012651.tif 000011